(57)【要約】【課題】ユーザに対して様々な情報を通知することができ、かつ、その情報の内容が簡易な操作で確認できる携帯端末装置を提供する。【解決手段】管理情報の変化に対応させて、発光部２１のＬＥＤを様々な色・パターンをもって発光させて、ユーザに情報の通知を行う。制御部２０は、テキスト読み上げ機能を有し、ＬＥＤが発光中に押下式ボタン１９ａが押下されると、その管理情報の変化に応じたテキストの読み上げを行う。【選択図】図１
2006014222.tif 000002
【特許請求の範囲】
【請求項１】
入力キーと、
発光手段と、
バッテリ残量および電波状態の少なくとも一方を含む内部の動作状態を管理するための情報、並びに電子メール受信および着信の有無の少なくとも一方を含む外部から取得するデータを管理するための情報、の少なくともいずれか一方を含む管理情報を管理するとともに、前記管理情報に変化が生じると通知事項ありとして前記発光手段を指示する制御手段と、
前記通知事項とテキストを関連付けて記憶する記憶手段と、
前記発光手段が発光指示されてから前記入力キーが操作されると、当該発光指示の理由となる通知事項に関連するテキストを読み上げる読み上げ手段と
を備えることを特徴とする携帯端末装置。
【請求項２】
前記入力キーおよび前記発光手段は、それぞれ複数備えられるとともに一対一に対応付けられており、
前記読み上げ手段は、発光指示された発光手段に対応する入力手段が操作されると、当該発光指示の理由となる通知事項に関連するテキストを読み上げる
ことを特徴とする請求項１に記載の携帯端末装置。
【請求項３】
連結された複数の筺体により開状態／閉状態を形成可能であり、
前記入力キーおよび前記発光手段は、閉状態において露出する位置に配される
ことを特徴とする請求項１に記載の携帯端末装置。
【請求項４】
前記読み上げ手段は、前記閉状態で前記発光手段が発光指示されてから、開状態が形成されると、当該発光指示の理由となる通知事項に関連するテキストを読み上げる
ことを特徴とする請求項３に記載の携帯端末装置。
【請求項５】
前記発光手段は、複数の発光状態を有し、
前記制御手段は、
前記複数の発光状態の中から、管理情報の変化に対して予め割り当てられた一の発光状態をもって、発光手段を発光させる
ことを特徴とする請求項１乃至４のいずれか一に記載の携帯端末装置。
【請求項６】
前記テキストが複数の項目から構成され、
前記読み上げ手段は、前記テキストを項目毎に読み上げ可能であり、
前記制御手段は、
前記複数の発光状態の中から、前記複数の項目の各項目に対して予め割り当てられた一の発光状態をもって、発光手段を発光させる
ことを特徴とする請求項５記載の携帯端末装置。
【請求項７】
前記テキストが複数の項目から構成され、
前記読み上げ手段は、前記テキストを項目毎に読み上げ可能であり、
前記テキストの項目の組合せに対して、前記複数の発光状態が各々割り当てられ、
前記制御手段は、
前記複数の発光状態の中から、予め指定された項目の組合せに対応する一の発光状態をもって、発光手段を発光させる
ことを特徴とする請求項５に記載の携帯端末装置。
【発明の詳細な説明】
【技術分野】
【０００１】
本発明は、たとえば携帯電話機に代表される携帯端末装置に関するものである。
【背景技術】
【０００２】
従来より、電話機の操作快適性を向上させるための技術が開発されており（たとえば、下記特許文献１）、携帯電話機に代表される携帯端末装置についても、様々な技術開発がなされているところである。
たとえば、携帯電話機では、電子メールを受信するとＬＥＤが発光するように構成することで、ユーザに対して電子メールを受信した旨を通知する技術が知られている。
【０００３】
【特許文献１】特開平１１−２５２２１６号公報
【発明の開示】
【発明が解決しようとする課題】
【０００４】
ところで、従来の携帯電話機におけるＬＥＤの発光パターンは単一であるため、ユーザに与えることができる情報は限定的であり、携帯電話機の様々な機能に対応させることができない。
また、フォルダ型（折り畳み型）の携帯電話機の場合には、ユーザに通知があった後に実際に電子メールの内容を確認するためには、筐体を開状態にし、さらに、所定のキー操作が必要となるので、操作が煩雑である。特に、音声による読み上げをガイダンスとして用いている場合には、受信したメールの本文へのアクセスが必然的に遅くなる。
【０００５】
本発明はかかる事情に鑑みてなされたものであり、その目的は、ユーザに対して様々な情報を通知することができ、かつ、その情報の内容が簡易な操作で確認できる携帯端末装置を提供することにある。
【課題を解決するための手段】
【０００６】
上記目的を達成するために本発明の観点は、入力キーと、発光手段と、バッテリ残量および電波状態の少なくとも一方を含む内部の動作状態を管理するための情報、並びに電子メール受信および着信の有無の少なくとも一方を含む外部から取得するデータを管理するための情報、の少なくともいずれか一方を含む管理情報を管理するとともに、前記管理情報に変化が生じると通知事項ありとして前記発光手段を指示する制御手段と、前記通知事項とテキストを関連付けて記憶する記憶手段と、前記発光手段が発光指示されてから前記入力キーが操作されると、当該発光指示の理由となる通知事項に関連するテキストを読み上げる読み上げ手段とを備えることを特徴とする携帯端末装置である。
【０００７】
好適には、前記入力キーおよび前記発光手段は、それぞれ複数備えられるとともに一対一に対応付けられており、前記読み上げ手段は、発光指示された発光手段に対応する入力手段が操作されると、当該発光指示の理由となる通知事項に関連するテキストを読み上げることを特徴とする携帯端末装置である。
また好適には、連結された複数の筺体により開状態／閉状態を形成可能であり、前記入力キーおよび前記発光手段は、閉状態において露出する位置に配されることを特徴とする携帯端末装置である。
【０００８】
好適には、前記読み上げ手段は、前記閉状態で前記発光手段が発光指示されてから、開状態が形成されると、当該発光指示の理由となる通知事項に関連するテキストを読み上げることを特徴とする携帯端末装置である。
【０００９】
好適には、前記発光手段は、複数の発光状態を有し、前記制御手段は、前記複数の発光状態の中から、管理情報の変化に対して予め割り当てられた一の発光状態をもって、発光手段を発光させる。
【００１０】
好適には、前記テキストが複数の項目から構成され、前記読み上げ手段は、前記テキストを項目毎に読み上げ可能であり、前記テキストの項目の組合せに対して、前記複数の発光状態が各々割り当てられ、前記制御手段は、前記複数の発光状態の中から、予め指定された項目の組合せに対応する一の発光状態をもって、発光手段を発光させる。
【発明の効果】
【００１１】
本発明に係る携帯端末装置よれば、ユーザに対して様々な情報を通知することができ、かつ、その情報の内容が簡易な操作で確認できるので、操作快適性が向上する。
【発明を実施するための最良の形態】
【００１２】
実施形態
以下、本発明に係る携帯端末装置の実施形態を添付図面に関連付けて説明する。
図１は、本発明の携帯端末装置としての携帯電話機１のシステム構成の一例を図解したブロック図である。図２は、携帯電話機１の外観の一例を図解した図である。
携帯電話機１は、可動機構を有する、いわゆる折り畳み式携帯電話機であって、図２（ａ）は開かれた状態（開状態）での正面図を、（ｂ）は閉じられた状態（閉状態）での正面図を、（ｃ）は開状態での側面図を、（ｄ）は閉状態での側面図を、それぞれ示す。
【００１３】
図１に示すように、携帯電話機１は、送受信アンテナ１１１を含む通信処理部１１と、メモリ１２と、キー入力部１３と、ダイヤル入力部１４と、サブ表示部１５と、メイン表示部１６と、スピーカ１７１およびマイクロフォン１７２を含む音声処理部１７と、開閉スイッチ１８と、読み上げキー入力部１９と、制御部２０と、発光部２１と、を有している。
なお、サブ表示部１５およびメイン表示部１６は、ともに、本発明の表示手段の一実施形態であり、制御部２０は、本発明の制御手段の一実施形態である。発光部２１は、本発明の発光手段の一実施形態である。
また、図２（ａ）に示すように、携帯電話機１の本体ケース１０は、第１の筐体としてのキー入力側本体ケース１０１と、第２の筐体としての表示側本体ケース１０２とが、図示しない可動機構により連結されて、開閉状態を形成するように構成される。
【００１４】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、制御部２０で処理された音声情報、電子メール等を変調して送受信アンテナ１１１により図示しない基地局に送信する。
また、通信処理部１１は、基地局から無線により送信され、送受信アンテナ１１１で受信した電子メールや音声情報等の各種情報を復調して制御部２０に出力する。
なお、送受信アンテナ１１１は、キー入力側本体ケース１０１または表示側本体ケース１０２に内蔵され、図２において外部に露出されていない。
【００１５】
メモリ１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳などを記憶する。
また、メモリ１２は、後述する読み上げ機能に必要なテキスト列を含む音声読み上げデータベースを記憶する。このデータベースでは、読み上げのためのテキスト列について、前後の接続関係が文章として成立するように、体系的に整理されている。
【００１６】
また、メモリ１２は、バッテリ残量、電波状態その他の内部の動作状態を管理するための情報と、電子メール受信の有無その他の外部から取得するデータを管理するための情報と、を含む管理情報を記憶する。この管理情報は、制御部２０によって必要に応じて更新される。
たとえば、不在着信（ユーザが応答しなかった着信）があったこと、未読の（未だ本文内容が表示されていない）電子メールを受信したこと等のイベントの発生があると、管理情報の内容が制御部２０により更新される。
【００１７】
たとえば、管理情報の変化があった際にユーザに対して適切に通知するために、管理情報の変化（管理情報の更新）と、発光色およびそのパターンとを対応付ける情報が予めメモリ１２に記憶される。
これにより、本実施形態に係る携帯電話機１では、たとえば、新たに電子メールを受信すると、所定の色と所定の発光パターンをもって、発光部２１が発光するように構成されている。
【００１８】
なお、メモリ１２に記憶されるテキストとしては、管理情報の変化にテキストが関連付けられるように構成することも可能であるが、たとえば、これとは別にあるいはこれに加えて、管理情報そのものにテキストが関連付られるように構成することも可能である。
そして、後述する読み上げ機能により報知（通知）すべき「読み上げ事項（通知事項）」は、「変化後の管理情報」や「管理情報がいかに変化した」かが含まれ、メモリ１２には、そのいずれについてテキストが記憶されていても良い。
【００１９】
キー入力部１３は、終了（終話）／電源キー、開始（発呼）キー、数字等に対応した複数のテンキー等を有し、これらのキーがユーザにより操作されることにより、ユーザからの入力情報を制御部２０に出力する。
【００２０】
ダイヤル入力部１４は、図２（ｃ）に示すように、ユーザが開状態の携帯電話機１を保持した時にユーザの親指により操作がしやすくなるように、表示側本体ケース１０２の側面に配設されるダイヤル式の入力部であり、上下２方向の操作が可能に構成される。
たとえば、ダイヤル入力部１４は、表示するテキストを拡大／縮小したり、出力音量を変更する場合等に操作される。
【００２１】
サブ表示部１５は、液晶表示装置（ＬＣＤ）等の表示デバイスを有し、図２（ｃ）に示すように、閉状態においてユーザに視認される表示部である。
メイン表示部１６は、液晶表示装置（ＬＣＤ）等の表示デバイスを有し、図２（ａ）に示すように、開状態においてユーザに視認される表示部である。
サブ表示部１５およびメイン表示部１６は、それぞれ閉状態および開状態において、受信した電子メールのテキストやメモリ１２に格納された様々なテキストデータを表示する。
【００２２】
音声処理部１７は、音声処理回路を有し、通話機能のために音声出力を行うスピーカ１７１と音声入力を行うマイクロフォン１７２とが接続されている。
音声処理部１７は、マイクロフォン１７２により集音した音声に対して所定の処理を行って制御部２０に供給する。また、音声処理部１７は、制御部２０により供給された音声情報に対して所定の処理を行ってスピーカ１７１から出力させる。
また、図２に示すように、スピーカ１７１は、受話スピーカ１７１ａおよびリンガスピーカ１７１ｂの２箇所の音声出力手段を含み、読み上げ機能の処理結果である音声を出力する。
【００２３】
開閉スイッチ１８は、携帯電話機１の開閉状態を検出するためのスイッチである。
開閉スイッチ１８の具体的な構成としては、様々な技術を適用することができるが、たとえば図２（ａ）に示すように、キー入力側本体ケース１０１および表示側本体ケース１０２のそれぞれに接点部を有し、閉状態（図２（ｂ））において両接点が電気的に非導通となることにより、オフ状態となるような構成にすることができる。
たとえば、携帯電話機１が閉状態で開閉スイッチ１８はオン状態（ＯＮ状態）となり、開状態で開閉スイッチ１８はオフ状態（ＯＦＦ状態）となるように構成し、制御部２０が開閉スイッチの状態を検出することにより、携帯電話機１の開閉状態を判別する。
【００２４】
読み上げキー入力部１９は、図２（ｂ）に示すように、表示側本体ケース１０２の中央に配設される押下式ボタン１９ａと、当該ボタンによるスイッチ入力に対する入力回路と、を含んで構成される。
なお、押下式ボタン１９ａは、本発明の入力キーの一実施形態である。
本実施形態における携帯電話機１は、読み上げ機能を有し、押下式ボタン１９ａが押下（操作）されると、閉状態ではリンガスピーカ１７１ｂより音声出力し、開状態では受話スピーカ１７１ａより音声出力する。
後述する制御部２０は、携帯電話機１の開閉状態を開閉スイッチ１８の出力により判別した後、読み上げのための音声出力先を音声処理部１７に通知する。
【００２５】
制御部２０は、マイクロコンピュータを主体として構成され、携帯電話機１の全体の制御を行う。たとえば、制御部２０は、通信処理部１１における各種情報の無線による送受信の制御、音声処理部１７に対する音声情報の処理、メイン表示部１６への情報の表示制御、キー入力部１３の入力情報に応じた処理、メモリ１２に対するアクセス制御等を行う。
【００２６】
制御部２０は、管理情報に変化があると、発光部２１を制御してＬＥＤを点灯させる。さらに、ＬＥＤが点灯した状態で、ユーザによる押下式ボタン１９ａの操作がなされると、管理情報に関する内容の読み上げ機能（本発明の読み上げ手段に相当）を実行する。その際、読み上げ機能として、読み上げ用の音声データを出力する方式ではなく、テキスト列を抽出／生成してそのテキストを読み上げるテキスト読み上げ方式を用いている。
【００２７】
たとえば、管理情報の変化の一例として、携帯電話機１の内部の動作状態を管理するための情報である「バッテリ残量」が変化した場合には、メモリ１２から、バッテリ残量の変化を表すテキスト列（「バッテリ残り少ないです」など）を抽出し、これを読み上げる。
また、管理情報の変化の一例として、外部から取得するデータを管理するための情報である電子メール受信情報が変化した場合には、メモリ１２からその電子メールの項目（「差出人」，「件名」，「本文」等）毎に、制御部２０内のワークエリアに抽出したうえで、読み上げ用のテキスト列を生成し、そのテキスト列を読み上げる。たとえば、「差出人」のみを通知するように予め指定されていた場合には、「田村さんからメールです」というようなテキスト列を生成し、これを読み上げる。
【００２８】
このように、制御部２０は、基本的に、管理情報に変化があれば、読み上げ機能によりこの変化に対応したテキストを読み上げる。
上述した例にように、バッテリが減りましたというテキストは管理情報の「変化」に対応付けておかねばならない。
たとえば、バッテリの管理情報としてバッテリ２目盛に「バッテリが減りました」と対応付けてしまっていると、１目盛から２目盛になったときも「バッテリが減りました」と読み上げてしまい、矛盾が生じる。よって３目盛から２目盛になる「管理情報の変化」に「バッテリが減りました」というテキストを対応付けておく必要がある。
【００２９】
ただし、たとえば管理情報の変化にテキストが関連付けられるように構成することとは別に、管理情報そのものにテキストを関連付けておくだけでも、ユーザに対して様々な情報を通知することができ、かつ、その情報の内容を簡易な操作で確認できる。
たとえば、バッテリ２目盛に「バッテリ２目盛です」と関連付けておき、バッテリの管理情報が３目盛から２目盛と変化があってから、変化後の管理情報のテキストを読むだけでも充分ユーザは意味を理解できる。その他、「圏外になりました」に対して「圏外です」も同様に言える。
【００３０】
制御部２０は、抽出／生成したテキスト列を１文字目から順に走査し、予めメモリ１２内の読み上げデータベースを参照して、前後の接続関係を考慮しながら、文単位の音声合成を行う。文単位の音声合成を行うので、この読み上げ機能によれば、たとえば、男性音への変更、女性音への変更、読み上げスピードの変更などが可能である。
【００３１】
制御部２０により生成された音声合成結果は、音声処理部１７により処理されて、受話スピーカ１７１ａまたはリンガスピーカ１７１ｂより出力される。
その際、制御部２０は、開閉スイッチ１８がオン状態（ＯＮ状態）の場合、すなわち、携帯電話機１が閉状態である場合にはリンガスピーカ１７１ｂより音声出力がなされるように、また、開閉スイッチ１８がオフ状態（ＯＦＦ状態）の場合、すなわち、携帯電話機１が開状態である場合には受話スピーカ１７１ａより音声出力がなされるように、音声処理部１７を制御する。
【００３２】
発光部２１は、複数のＬＥＤおよびＬＥＤ駆動回路を含んで構成され、様々な色を発光可能である。たとえば、赤色ＬＥＤ、青色ＬＥＤおよび緑色ＬＥＤを含んで構成することにより、階調度に応じて広範囲な色を発光させることができる。
ＬＥＤ駆動回路は、制御部２０からの制御信号により、複数のＬＥＤを駆動する。これにより、発光部２１は、制御信号に応じた様々な色およびパターン（点滅／点灯）の光を出射する。
なお、発光部２１は、本発明の発光手段の一実施形態である。
【００３３】
以上、携帯電話機１の回路ブロックを構成する各構成要素について述べた。
次に、読み上げキー入力部１９の押下式ボタン１９ａと、発光部２１のＬＥＤとの位置関係について述べる。
本実施形態に係る携帯電話機１では、押下式ボタン１９ａそのもの、または、押下式ボタン１９ａの近傍を発光させることで、発光による情報伝達と操作ボタンとを対応付けることを企図しており、かかる観点から、ＬＥＤを押下式ボタン１９ａの近傍に配置させる。
【００３４】
図３は、図２に示す断面Ａ−Ａによる断面図であり、押下式ボタン１９ａとＬＥＤとの位置関係についての様々な実施例を示す。
なお、図では、ＬＥＤから出射する光の光路を矢印で模式的に表している。また、押下式ボタンの接点の構成については、様々な実施例が考えられ、ここでは特定の構成例を企図したものではない。さらに、２つのＬＥＤが図示されているが、これは一例に過ぎず、ＬＥＤの数は、任意に設定できることは言うまでもない。
図３（ａ）〜（ｃ）の各実施例では、押下式ボタン１９ａは、板ばね（ＳＰＲ）に結合されており、押下式ボタン１９ａが押下（操作）されると、接点Ｔ１およびＴ２が接触することにより、電気的な導通がなされることで電気信号が制御部２０へ入力される構成となっている。
【００３５】
図３（ａ）では、押下式ボタン１９ａは、光透過型の樹脂等により形成されるとともに、ＬＥＤが押下式ボタン１９ａの真下に配置される。これにより、ＬＥＤが発光すると、押下式ボタン１９ａそのものが発光しているようにユーザに認識される。したがって、押下式ボタン１９ａに対応した情報が発せられていることがユーザに認識される。
図３（ｂ）では、表示側本体ケース１０２と押下式ボタン１９ａとの間に若干の隙間を設け、その真下にＬＥＤが配置される。これにより、同様に、ＬＥＤが発光すると、押下式ボタン１９ａそのものが発光しているようにユーザに認識される。したがって、押下式ボタン１９ａに対応した情報が発せられていることがユーザに認識される。
図３（ｃ）では、押下式ボタン１９ａの近傍の表示側本体ケース１０２の一部に透明ガラス１０２ａを設け、その透明ガラス１０２ａの真下にＬＥＤを配設する。これにより、ＬＥＤが発光すると、押下式ボタン１９ａに対応した情報が発せられていることがユーザに認識される。
また、ボタン１９ａが複数あってそれぞれで対応づけられる情報が異なるように構成されるならば、いずれのボタンが発光しているのかを見るだけでどの種類の情報が発せられているのかを知ることができ、素早い対応が必要なのかそうでないか等のユーザの判断に役立てることもできる。
【００３６】
次に、新たに電子メールを受信した等のイベントが発生することにより、管理情報に変化があった場合の発光色および発光パターンの設定例について述べる。
図４は、イベントの発生に対応した発光色および発光パターンの一設定例であり、（ａ）はイベントの種類と発光色の関係を、（ｂ）は読み上げ機能による読み上げ範囲と発光パターンの関係を、それぞれ示す。
【００３７】
たとえば、（ａ）に示すように、新たに電子メールを受信するイベントが発生すると、制御部２０はメモリ１２内の管理情報を更新するとともに、発光部２１のＬＥＤを「緑」色に発光させる。これにより、ユーザに対して電子メールを受信した旨が通知される。
さらに、（ｂ）に示すように、ユーザ未読の電子メールの件数のみを通知する場合には、１回だけ点灯する発光パターンとなる。また、ユーザ未読の電子メールの件数と送信者の名前を通知する場合には、２回点灯する発光パターンとなる。
なお、電子メールに含まれる情報のうち、読み上げる範囲については、予めユーザによりメニュー画面を操作することで設定できるように構成する。
【００３８】
上述したように、イベントの発生とそれに対応した発光色および発光パターンとを対応させることにより、視覚情報によりイベントの種類をユーザに通知することが可能となる。
かかる発光を認識してユーザが押下式ボタン１９ａを押下すると、発光色および発光パターンに応じた情報が読み上げ機能により読み上げられる。
たとえば、図４に示した例では、「緑」色が１回だけ点灯した場合には、未読の電子メールの件数のみの情報が、「未読メールが２件です」というように読み上げられる。すなわち、制御部２０は、メモリ１２内の管理情報にアクセスし、未読の電子メールの件数のデータを取り出した後、「未読メールが２件です」といったテキスト列を生成し、これを読み上げる。
【００３９】
なお、図４を参照して、イベントの発生に対応して設定した発光色および発光パターンの一例を示したが、イベントの発生に拘泥せず、管理情報として管理されている情報であれば、何でも構わない。
たとえば、図５は、電子メールの着信相手に応じて発光色を変更した例である。このように、着信相手によって発光色を変更しておけば、ユーザにとって、すぐに押下式ボタン１９ａを押下して内容を確認すべき情報か否かの判断が容易となる。
【００４０】
次に、図６に関連付けて、制御部２０により行われる発光処理について述べる。図６は、発光処理の一例を示すフローチャートである。
携帯電話機１では、読み上げ機能の動作／非動作（ＯＮ／ＯＦＦ）と、ＬＥＤ発光機能の動作／非動作（ＯＮ／ＯＦＦ）がユーザにより選択できるように構成されており、管理情報の変化が発生すると、これらの情報を判別して処理を行う。
【００４１】
先ず、電子メールの受信等のイベントが発生すると（ステップＳＴ１０）、読み上げ機能の動作／非動作（ＯＮ／ＯＦＦ）が判別される。その結果、読み上げ機能が非動作の場合には、通常処理を行う（ステップＳＴ１２）。
通常処理とは、ＬＥＤの点灯および読み上げ機能を使用しない場合に、ユーザに対して行う情報の通知処理であり、たとえば、イベントの発生が電子メールの受信であれば、表示部に電子メールを受信したことを示すアイコン等を表示する処理などである。
【００４２】
次いで、ユーザの確認動作があるか否かが判別される（ステップＳＴ１３）。ここで、ユーザの確認動作とは、例えば電子メールの受信直後にユーザが筐体を閉状態から開状態とする動作のことをいう。制御部２０は、開閉スイッチ１８の状態の変化（オン状態からオフ状態）を検出することにより、ユーザの確認動作を判別する。
電子メールの受信等のイベントが発生した後に、ユーザが筐体を開状態とする場合には、ユーザは電子メール受信の報知をすでに行っているため、イベントの発生をすでに認識しており、ＬＥＤを用いて積極的にそのイベントの発生を通知する必要がないため、ＬＥＤの発光を行わず、必要な後処理を行う（ステップＳＴ１４）。後処理では、たとえば、電子メールの受信の場合であれば、電子メールの本文の読み上げなどを行う。
【００４３】
次に、ＬＥＤ発光機能の動作／非動作（ＯＮ／ＯＦＦ）が判別される（ステップＳＴ１５）。その結果、ＬＥＤ発光機能が非動作状態に設定されている場合には、ＬＥＤの発光を行わず、上述した通常処理を行う。
ＬＥＤ発光機能が動作状態に設定されている場合には、ＬＥＤの発光を行うためにイベントの発生に対応する発光色および発光パターンを、メモリ１２から検索して選択・決定した後（ステップＳＴ１６およびＳＴ１７）、選択した発光色および発光パターンをもって、ＬＥＤを駆動して発光させる。
【００４４】
以上説明したように、本実施形態に係る携帯電話機１によれば、管理情報の変化に対応させてＬＥＤを様々な色・パターンをもって発光させるとともに、ＬＥＤが発光中に押下式ボタン１９ａが押下されると、その管理情報の変化に応じた情報の読み上げを行う。
したがって、ユーザは、管理情報の変化を視覚情報により認識することができる。たとえば、新たな電子メールの受信や不在着信の有無を、発光色およびそのパターンで認識することができる。
その際、読み上げる情報のレベルを予め設定しておくことで、管理情報の変化が通知されたときに、読み上げる情報のレベルをユーザに認識させることができ、操作快適性が向上するとともに、ユーザは、押下式ボタン１９ａを押下する前に音声出力される情報を認識させることができる。
たとえば、受信した電子メールの件数のみを音声出力する場合、件数と着信相手先の名前を音声出力する場合等、情報レベルによって発光パターンを変更して設定しておくことで、ユーザは、押下式ボタン１９ａを押下することでどの程度の情報が発せられるか改めて認識することができる。つまり、現在の設定で本文まで読み上げる設定になっている等、一目で判断できるため、ユーザは仕事中に不意にプライベートのメール本文を読み上げられてしまうような事態を極力抑えることができる。
【００４５】
本実施形態に係る携帯電話機１によれば、筐体が閉状態であることを検出して、音声出力先をリンガスピーカ１７１ｂに決定するので、ユーザは、筐体が閉状態のままで電子メールの本文まで読み上げ音声を確認することが可能となる。
【００４６】
本実施形態に係る携帯電話機１によれば、ＬＥＤを押下式ボタン１９ａの近傍に配置したので、ＬＥＤの発光によって、ユーザが押下すべき押下式ボタン１９ａが強調され、ユーザの誤操作を防止することができるとともに、暗所においても確実に操作することができる。
本実施形態に係る携帯電話機１によれば、ユーザが押下式ボタン１９ａを押下せず、筐体を開状態とした場合には、通知すべき情報の読み上げを開始するように構成したので、音声による情報の通知漏れを無くすことができる。
【００４７】
また、本実施形態に係る携帯電話機１において、管理情報の変化にテキストが関連付けられるように構成することとは別に、管理情報そのものにテキストを関連付けておくだけでも、ユーザに対して様々な情報を通知することができ、かつ、その情報の内容を簡易な操作で確認できる。
【図面の簡単な説明】
【００４８】
【図１】携帯電話機のシステム構成の一例を図解したブロック図である。
【図２】携帯電話機の外観の一例を図解した図であり、（ａ）は正面の外観図を、（ｂ）は背面の外観図を、（ｃ）は正面の外観図を、（ｄ）は背面の外観図を、それぞれ示す。
【図３】実施形態に係る読み上げキーと発光部を図解した例である。
【図４】イベント種類に応じた発光パターンの一例である。
【図５】着信相手に応じた発光パターンの一例である。
【図６】発光処理を示すフローチャートである。
【符号の説明】
【００４９】
１…携帯電話機
１０…本体ケース
１０１…キー入力側本体ケース
１０２…表示側本体ケース
１１…通信処理部
１１１…送受信アンテナ
１２…メモリ
１３…キー入力部
１４…ダイヤル入力部
１５…サブ表示部
１６…メイン表示部
１７…音声処理部
１７１…スピーカ
１７１ａ…受話スピーカ
１７１ｂ…リンガスピーカ
１７２…マイクロフォン
１８…開閉スイッチ
１９…読み上げキー入力部
２０…制御部
２１…発光部
【図１】
2006014222.tif 000003
【図２】
2006014222.tif 000004
【図３】
2006014222.tif 000005
【図４】
2006014222.tif 000006
【図５】
2006014222.tif 000007
【図６】
2006014222.tif 000008